(57)【要約】【課題】  閲覧禁止データであっても閲覧可能なシーンを含む場合の為に、元データのアクセス権とは別視点でアクセス権を設定できるようにすることを目的としている。【解決手段】  独立したアクセス権を持つ再生操作データを送受し、元データの再生操作を再現する。【選択図】  図５
2007060122.tif 000002
【特許請求の範囲】
【請求項１】
動画データを再生表示する動画再生手段と、
操作と操作が行われた動画位置を対応付けて構成される再生操作記録データと、
該再生操作記録データに記録された操作を対応する動画位置の再生時に再現する再生操作再現手段と、
を備えることを特徴とする動画再生装置において、
該動画データは動画データアクセス権を持ち、
該再生操作記録データは再生操作記録データアクセス権を持ち、
該動画再生手段は、
該動画データアクセス権と該再生操作記録データアクセス権を参照して、アクセス権を判定するアクセス権判定手段と、
を備え、
該アクセス権判定手段により再生可能と判定された場合にのみ再生操作を再現することを特徴とする動画再生装置。
【請求項２】
該アクセス権判定手段は、
該再生操作記録データアクセス権が設定されていない場合には該動画データアクセス権で判定し、
該再生操作記録データアクセス権が設定されている場合には該再生操作記録データアクセス権で判定することを特徴とする請求項１記載の動画再生装置。
【請求項３】
該再生操作再現手段は、
再生操作再現中に新たな再生操作を受付ける再生操作受付け手段と、
を備え、
該アクセス権判定手段は、
再生操作再現中断後は該動画データアクセス権のみで判定することを特徴とする請求項２記載の動画再生装置。
【請求項４】
該アクセス権判定手段は、
該再生操作記録データアクセス権が有効かどうか判定する再生操作記録データアクセス権有効性判定手段と、
を備え、該再生操作記録データアクセス権が有効な場合にのみ該再生操作記録データアクセス権で判定することを特徴とする請求項２記載の動画再生装置。
【請求項５】
該再生操作再現手段は、
再生対象の動画位置に対応して記録された操作を取得する再現対象操作取得手段と、
該再現対象操作から再生対象の動画に対して行う処理を決定する再生操作再現動画制御決定手段と、
を備え、
該再生操作記録データには、
再生操作記録データアクセス権変更操作と操作が行われた動画位置とアクセス権変更内容を対応付けて記録し、
該再生操作再現動画制御決定手段は、
再現対象操作が再生操作記録データアクセス権変更操作の場合、再生対象の動画位置からアクセス権を変更するように決定することを特徴とする請求項１記載の動画再生装置。
【請求項６】
該再生操作再現手段は、
再生操作記録データアクセス権変更を指示する再生操作記録データアクセス権変更操作手段と、
該再生操作記録データに再生操作記録データアクセス権変更操作を追加する再生操作記録データアクセス権変更操作記録手段と、
を備えることを特徴とする請求項１記載の動画再生装置。
【請求項７】
該再生操作記録データアクセス権変更操作記録手段は、
該動画データアクセス権が許可されている場合か、アクセス権を制限する場合にのみ追加することを特徴とする請求項6記載の動画再生装置。
【請求項８】
該再生操作再現手段は、
再生操作記録データアクセス権無効化を指示する再生操作記録データアクセス権無効化指示手段と、
指示された該再生操作記録データアクセス権を無効化する再生操作記録データアクセス権無効化手段と、
を備えることを特徴とする請求項6記載の動画再生装置。
【請求項９】
該再生操作再現手段は、
再生操作記録データアクセス権変更操作が行われた動画位置を検索する再生操作記録データアクセス権変更操作動画位置検索手段と、
を備え、
該アクセス権判定手段により再生可能と判定されなかった場合、該再生操作記録データアクセス権変更操作動画位置検索手段により再生可能と判定される動画位置を検索し、その間をスキップする再生操作再現不能期間スキップ手段と、
を備えることを特徴とする請求項１記載の動画再生装置。
【請求項１０】
請求項１から9記載の情報処理方法。
【請求項１１】
請求項１から9記載の処理を機能させるプログラムを記録した記録媒体。
【請求項１２】
請求項１から9記載の処理をコンピュータによって実現させるための制御プログラム。
【発明の詳細な説明】
【技術分野】
【０００１】
本発明は動画再生装置に関する。また、動画編集装置に関する。
【背景技術】
【０００２】
最近のカメラの解像度向上に伴って、広角で撮影された映像から目的画角の領域を切り出してデジタルZoomしても、実用に耐えうる画質が実現できるようになってきている。そこで、撮影時に目的画角を光学Zoomした映像を記録せずに、広角＆高解像度で撮影映像を記録しておき、操作者が意図する画角をデジタルPan, Tilt, Zoomして再生するような使い方が広がり始めている。
【０００３】
上記のような使い方により、異なる操作者が異なる目的画角の領域を実用的な解像度で再生することが可能になるというメリットがある反面、再生する度にオリジナルの広角＆高解像度の撮影映像から目的画角の領域をデジタルPan, Tilt, Zoomし直さなければならないという問題が発生することになった。
【０００４】
上記問題を解決する為にオリジナルの広角＆高解像度の撮影映像を編集するという方法が考えられる。が、従来の動画編集装置ではタイムラインの概念を使用して、シーケンスエディタなどの複雑な画面操作を行って動画像の編集を行っていた。その為、きめ細かい編集ができる反面、編集操作が複雑だという問題があった。
【０００５】
撮影された映像を第三者によって不正に再生されないように、映像データそのものにアクセス権を持たせ、アクセス権が適合したユーザにのみ再生を許可する方法が容易に想像できる。
【０００６】
例えば、特許文献１では録画を要求したユーザ以外に録画データが再生されないようにする為に、録画要求を行ったユーザの識別情報を録画データと対応付けて記録している。
【特許文献１】特開2002-157821号公報
【発明の開示】
【発明が解決しようとする課題】
【０００７】
しかし、特許文献1では録画データ全体に制限を設けており、再生禁止録画データ中の一部分のみ再生を許可することができないといった問題があった。これを解決するには、アクセス権の異なるユーザ毎に個別の編集済み動画データを作成してそれぞれ異なるアクセス権管理をする必要があり、記憶領域消費増大といった新たな問題を発生させることになった。
【０００８】
以上説明した様に、従来技術によれば、録画データの一部のみの再生を特定ユーザに許可することができなかった。特に、再生操作の流れまで含めたアクセス権制御を行うことができなかった。
【０００９】
そこで、本発明は上記課題に着目し、下記の目的を持っている。
【００１０】
閲覧禁止データであっても閲覧可能なシーンを含む場合の為に、元データのアクセス権とは別視点でアクセス権を設定できるようにする。
【課題を解決するための手段】
【００１１】
本発明によれば、動画データを再生表示する動画再生手段と、操作と操作が行われた動画位置を対応付けて構成される再生操作記録データと、該再生操作記録データに記録された操作を対応する動画位置の再生時に再現する再生操作再現手段と、を備えることを特徴とする動画再生装置において、該動画データは動画データアクセス権を持ち、該再生操作記録データは再生操作記録データアクセス権を持ち、該動画再生手段は該動画データアクセス権と該再生操作記録データアクセス権を参照して、アクセス権を判定するアクセス権判定手段とを備え、該アクセス権判定手段により再生可能と判定された場合にのみ再生操作を再現することを特徴とする情報処理装置が提供される。
【００１２】
また、本発明によれば、動画データを再生表示する動画再生ステップと、操作と操作が行われた動画位置を対応付けて構成される再生操作記録データと、該再生操作記録データに記録された操作を対応する動画位置の再生時に再現する再生操作再現ステップと、を備えることを特徴とする動画再生装置において、該動画データは動画データアクセス権を持ち、該再生操作記録データは再生操作記録データアクセス権を持ち、該動画再生ステップは該動画データアクセス権と該再生操作記録データアクセス権を参照して、アクセス権を判定するアクセス権判定ステップとを備え、該アクセス権判定ステップにより再生可能と判定された場合にのみ再生操作を再現することを特徴とする情報処理方法が提供される。
【００１３】
また、本発明によれば、動画データを再生表示する動画再生ステップと、操作と操作が行われた動画位置を対応付けて構成される再生操作記録データと、該再生操作記録データに記録された操作を対応する動画位置の再生時に再現する再生操作再現ステップと、を備えることを特徴とする動画再生装置において、該動画データは動画データアクセス権を持ち、該再生操作記録データは再生操作記録データアクセス権を持ち、該動画再生ステップは該動画データアクセス権と該再生操作記録データアクセス権を参照して、アクセス権を判定するアクセス権判定ステップとを備え、該アクセス権判定ステップにより再生可能と判定された場合にのみ再生操作を再現することを特徴とするプログラムを記録した記録媒体が提供される。
【００１４】
請求項1により、閲覧禁止データであっても閲覧可能なシーンを含む場合の為に、元データのアクセス権とは別視点でアクセス権を設定できるようにする効果がある。また、アクセス権の異なるユーザ毎に個別の編集済み動画データを作成してそれぞれ異なるアクセス権管理をする必要が無い為、記憶領域消費増大といった問題を低減できる。また、不正アクセスを防ぎながら他人が行った再生操作を再現することで、より少ない操作で再生可能とする効果がある。また、不正アクセスを防ぎながら再生操作データだけをやり取りすることで、編集済みの動画データをやり取りするよりも再生開始までの通信負荷を軽減する効果がある。
【００１５】
請求項2により、元データのアクセス権より再生操作記録データのアクセス権を優先させることで、元データの一部のみの再生を特定ユーザに許可することができる。また、再生操作の流れまで含めたアクセス権制御を行うことができる。
【００１６】
請求項3により、アクセス権が指定された再生操作記録データの再現中であっても新たな再生操作を可能とする自由度を維持したまま、元データが許可しない制御を禁止することができる。
【００１７】
請求項4及び8により、再生操作記録データのアクセス権が有効かどうか判定することで、再生操作記録データが流通した後でも再生操作の再現を禁止することができる。
【００１８】
請求項5により、再生操作単位でアクセス権指定可能とすることで、一連の再生操作の一部分だけを再生禁止にすることもできる。
【００１９】
請求項6から7により、アクセス権の付与権限を元データのアクセス権を用いて判定することで、元データが許可しないアクセス権の付与を禁止することができる。
【００２０】
請求項9により、再生禁止期間の動画データをスキップして後続する再生操作を再現することで、無効映像が再生され続けることを回避できる。
【発明の効果】
【００２１】
以上説明したように本発明によれば、閲覧禁止データであっても閲覧可能なシーンを含む場合の為に、元データのアクセス権とは別視点でアクセス権を設定できるようにする効果がある。
【発明を実施するための最良の形態】
【００２２】
以下、図面を参照して本発明の好適な実施形態を詳細に説明する。
【００２３】
図１は本発明に係る情報処理装置のハードウェア構成を示すブロック図である。同図において、１は情報（データ）を入力するための入力部である。２はＣＰＵであり、各種処理のための演算、論理判断等を行い、バス６に接続された各構成要素を制御する。３は情報（データ）を出力する出力部である。出力部３としては、ＬＣＤやＣＲＴ等のディスプレイや、プリンタ等の記録装置がある。４はプログラムメモリであり、後述するフローチャートの処理手順を含むＣＰＵ２による制御のためのプログラムを格納するメモリである。プログラムメモリ４は、ＲＯＭであってもよいし、外部記憶装置等からプログラムがロードされるＲＡＭであってもよい。５はデータメモリであり、各種処理で生じたデータを格納する。データメモリ５は、例えば、ＲＡＭとするが、不揮発な外部記憶媒体から、処理に先立ってロードしておく、あるいは必要があるごとに参照するものとする。６はＣＰＵ２の制御の対象とする各構成要素を指示するアドレス信号、各構成要素を制御するためのコントロール信号、各構成要素間で相互にやりとりされるデータの転送を行うためのバスである。
【００２４】
（第１の実施形態）
本実施形態では図２〜９を用いて、リモートビューワでストレージ中のアクセス権が設定された映像を再生操作後、記録された再生操作記録データにより再生操作が再現される例について説明する。また、同時にアクセス権が設定された再生操作記録データにより再生操作が再現される例について説明する。
【００２５】
図２は本実施形態においてリモートビューワでストレージ中のアクセス権が設定された映像を再生操作する時の概念図である。２１はストレージ２２に格納されている元動画データの映像を表したものである。また、映像２１は領域A、B、Cを持ち、領域CがTV２３の画面上に表示され、再生操作されていることを表している。
【００２６】
図３は本実施形態においてリモートビューワでストレージ中の再生操作記録データを再現する時の概念図である。３１はストレージ３２に格納されている元動画データの映像を表したものである。また、映像３１は領域A、B、Cを持ち、領域CがTV３３の画面上に表示され、再生操作再現されていることを表している。ここで、TV３３によりストレージ３２に格納されている再生操作記録データの再現が行われた場合、再生操作記録データで指示された元動画データに対する操作が行われた結果の映像がTV３３で再生される。
【００２７】
図４は本実施形態における機能構成図である。リモートビューワの操作手段４７により指定された動画データ４１は、動画再生手段４３により再生されリモートビューワの表示手段４６により表示される。また、操作手段４７により行われた再生操作は動画再生手段４３により解釈されて対応する操作を行った結果が再生され、同時に再生操作記録手段４４により操作と対応する動画位置等の情報が再生操作記録データ４２に記録される。
【００２８】
一方、操作手段４７により指定された再生操作記録データ４２は、再生操作再現手段４５により解釈されて、動画再生手段４３により再生されリモートビューワの表示手段４６により表示される。なお、動画再生手段４３はアクセス権判定手段４８により再生が許可されていると判定された時だけ再生を行う為、動画再生が直接指示された場合も、再生操作記録データによる再生操作再現が指示された場合も、アクセス権が許可されない限り再生は行われない。
【００２９】
図５は本実施形態における動画再生手段のフローを示す図である。同図に示した動画再生手段は、「再生操作中」と「再生操作再現中」の２つのモードで実行される。図４に示したように動画データ４１を指定して動画再生手段４３が起動された場合には「再生操作中」モードで実行され、再生操作記録データ４２を指定して再生操作再現手段４５によって動画再生手段４３が起動された場合には「再生操作再現中」モードで実行される。同図におけるS501で再生操作記録データアクセス権が「未設定」で初期化され、ステップS502でモードが判定され、「再生操作再現中」モードの場合にはステップS503に進み、「再生操作中」モードの場合にはステップS507に進む。
【００３０】
ステップS503の再生操作再現処理では再生対象の動画位置に対応する再生操作が再現され、必要に応じて再生操作記録データアクセス権が設定される。続くステップS504で再生操作再現中止かどうか判定された結果、再生操作再現中止と判定された場合、元動画データのアクセス権だけを有効にする為にステップS505で再生操作記録データアクセス権が「未設定」で初期化され、ステップS506でモードが「再生操作中」に切り替えられ、ステップS502に戻って処理を繰り返す。一方、ステップS504で再生操作再現中止ではないと判定された場合、ステップS50Aに進む。
【００３１】
ステップS507で行われた操作が再生中操作であると判定された場合、ステップS508の再生操作記録処理によって行われた操作と対応する動画位置等の情報が再生操作記録データ４２に記録される。続くステップS509の動画制御決定処理では行われた操作に対応する動画制御方法が決定され、続くステップS50Aのアクセス権判定処理によりアクセス権が判定される。その結果、ステップS50Bで再生不可と判定された場合にはステップS502に戻って処理を繰り返す。ステップS50Bで再生可能と判定された場合には続くステップS50Cの動画制御処理により制御が行われ、ステップS502に戻って処理を繰り返す。一方、ステップS507で操作が終了操作であると判定された場合、処理を終了する。
【００３２】
図６は本実施形態におけるアクセス権判定手段のフローを示す図である。同図におけるステップS601で再生操作記録データアクセス権が設定されていると判定された場合、再生操作記録データアクセス権を判定結果として処理を終了する。一方、ステップS601で未設定であると判定された場合、続くステップS602の動画データアクセス権取得処理によって動画データそのもののアクセス権が取得され判定結果として処理を終了する。
【００３３】
図７は本実施形態における再生操作再現手段のフローを示す図である。同図におけるステップS701で発生した操作Eventが判定される。その結果、何の操作も行われなかったと判定された場合、ステップS702の再現対象操作取得処理によって再生しようとしている動画位置に対応する再生操作が取得される。その結果、ステップS703で取得成功と判定された場合、ステップS704の再生操作再現動画制御決定処理によって行われる動画制御内容が決定され、処理を終了する。具体的には、再現対象操作取得処理により図８で後述するような再生操作記録データが取得され、再生操作再現動画制御決定処理により図９で後述する再生操作再現動画制御決定ルールの定義に従って、行われる動画制御内容が決定される。
【００３４】
ステップS701で再生操作受付指示操作と判定された場合、ステップS705の再生操作受付け処理によって再生操作再現を中断して再生操作を受付ける為の準備をし、処理を終了する。
【００３５】
ステップS701で再生操作再現中の動画位置への再生操作記録データアクセス権変更操作と判定された場合、ステップS706の再生操作記録データアクセス権変更処理によって再生操作記録データに再生操作記録データアクセス権変更操作が追加され、処理を終了する。
【００３６】
ステップS701で再生操作再現中の動画位置での再生操作記録データアクセス権無効化操作と判定された場合、ステップS707の再生操作記録データアクセス権無効化処理によって再生操作記録データ中の再生操作記録データアクセス権変更操作が無効化され、処理を終了する。
【００３７】
図８は本実施形態における再生操作記録データの定義と例を示した図である。同図に示したように再生操作記録データには、動画再生中の再生操作と対応する動画位置等が対応付けられて記憶されている。例えば、Pan開始操作の場合には動画位置に対応付けられて記憶されており、具体例"<changearea source=party.mpg scene=75 x=20 id=239>"で記述されている。ここで、"changearea" はPan開始操作を示し、"source=party.mpg scene=75"は動画ファイル"party.mpg"のシーン"75"を示し、"x=20"はPan開始時の領域のX座標位置を示し、"id=239"は再生操作記録データを特定する為に用いられる。また、Pan終了操作の場合には動画位置と領域に対応付けられて記憶されており、具体例"</changearea scene=356 x=100 id=240>"で記述されている。ここで、"/changearea" はPan終了操作を示し、"scene=356"はカレント動画ファイルのシーン"356"を示し、"x=100"はPan終了時の領域のX座標位置を示し、"id=240"は再生操作記録データを特定する為に用いられる。一方、アクセス権変更操作の場合には動画位置とアクセス権に対応付けられて記憶されており、具体例" <permit/ source=party.mpg scene=51 play=日本太郎,日本花子 id=128>"で記述されている。ここで、" permit/"はアクセス権変更操作を示し、" source=party.mpg scene=51"は動画ファイル"party.mpg"のシーン"51"を示し、" play=日本太郎,日本花子"は日本太郎と日本花子に再生権限を与えていることを示し、" id=128"は再生操作記録データを特定する為に用いられる。
【００３８】
図９は本実施形態における再生操作再現動画制御決定ルールを示した図である。同図に示したように再生操作再現動画制御決定ルールは、再生操作と対応する動画制御の内容が定義されている。例えば、Pan開始＆Pan終了操作は、「指定動画開始位置から指定動画終了位置まで領域を変化」させるよう制御内容が定義されている。具体例"<changearea source=party.mpg scene=75 x=20 id=239>"〜 "</changearea scene=356 x=100 id=240>"の場合には、動画ファイル"party.mpg"のシーン"75"から"356"の再生時に、"x=20"から"x=100"までPanするように制御内容が決定される。また、アクセス権変更操作は、「指定動画位置でアクセス権変更」させるよう制御内容が定義されている。具体例"<permit/ source=party.mpg scene=51 play=日本太郎,日本花子 id=128>"の場合には、動画ファイル"party.mpg"のシーン"51"以降の再生操作再現時に、日本太郎と日本花子に再生権限を与えるように制御内容が決定される。
【００３９】
このように、本実施例で示した本発明により、下記の効果が実現できる。
【００４０】
・閲覧禁止データであっても閲覧可能なシーンを含む場合の為に、元データのアクセス権とは別視点でアクセス権を設定できる。
【００４１】
・アクセス権の異なるユーザ毎に個別の編集済み動画データを作成してそれぞれ異なるアクセス権管理をする必要が無い為、記憶領域消費増大といった問題を低減できる。
【００４２】
・不正アクセスを防ぎながら他人が行った再生操作を再現することで、より少ない操作で再生できる。
【００４３】
・不正アクセスを防ぎながら再生操作データだけをやり取りすることで、編集済みの動画データをやり取りするよりも再生開始までの通信負荷を軽減できる。
【００４４】
・元データのアクセス権より再生操作記録データのアクセス権を優先させることで、元データの一部のみの再生を特定ユーザに許可することができる。
【００４５】
・再生操作の流れまで含めたアクセス権制御を行うことができる。
【００４６】
・アクセス権が指定された再生操作記録データの再現中であっても新たな再生操作を可能とする自由度を維持したまま、元データが許可しない制御を禁止することができる。
【００４７】
・再生操作単位でアクセス権指定可能とすることで、一連の再生操作の一部分だけを再生禁止にすることもできる。
【００４８】
（第２の実施形態）
本実施形態では図１０〜１２を用いて、再生操作再現中のアクセス権変更操作によって再生操作記録データにアクセス権変更操作が追加される例について説明する。
【００４９】
図１０は本実施形態における再生操作再現中の画面例を示した図である。同図で表示されている映像上に、再生操作再現中であることが表示文字列と操作ボタンの形態で表現されている。また、操作ボタンは、巻き戻しボタン1001、逆再現ボタン1002、一時停止ボタン1003、早送りボタン1004、停止ボタン1005と、検索位置付与ボタン1006、終了位置付与ボタン1007、アクセス権変更ボタン1008と、再生操作受付けボタン1009から構成される。なお、前記の一時停止ボタン1003は一時停止中には再現ボタンに切り替わる。また、再生操作受付けボタン1009が押されると、再生操作再現を停止して再生操作中の画面に切り替わる。
【００５０】
図１１は本実施形態における再生操作記録データアクセス権変更操作の画面例を示した図である。該再生操作記録データアクセス権変更操作画面はユーザ選択リスト115と設定可能アクセス権リスト116で構成され、該ユーザ選択リスト115へのユーザ追加ボタン113とユーザ削除ボタン114と、設定内容の確定ボタン111と取り消しボタン112を持つ。同図は、該ユーザ選択リスト115から「日本花子」117が選択され、設定可能アクセス権リスト116の「再生」118がチェックされている様子が示されている。
【００５１】
図１２は本実施形態における再生操作記録データアクセス権変更手段のフローを示す図である。同図におけるステップS1201の再生操作記録データアクセス権変更操作処理により、図１１で説明した該再生操作記録データアクセス権変更操作画面を表示してユーザの操作を促す。その結果、ステップS1202でキャンセル操作と判定された場合には処理を終了する。
【００５２】
ステップS1202で変更操作と判定された場合、続くステップS1203で元データに対するアクセス権が有効かどうか判定される。その結果、適切なアクセス権が無いと判断された場合、ステップS1204で該再生操作記録データアクセス権変更操作処理において行われた変更指示がアクセス権を制限する方向かどうか判定され、アクセス権を制限する方向で無いと判定された場合には処理を終了し、アクセス権を制限する方向の変更の場合にはステップS1205に進む。
【００５３】
ステップS1205の再生操作記録データアクセス権変更操作記録処理により、アクセス権変更操作を再生操作記録データに図８で説明したように記録する。次にステップS1206の有効再生操作記録データアクセス権追加処理により、図１５及び図１９で後述する再生操作記録データアクセス権有効性判定データに追加して処理を終了する。
【００５４】
このように、本実施例で示した本発明により、下記の効果が実現できる。
【００５５】
・アクセス権の付与権限を元データのアクセス権を用いて判定することで、元データが許可しないアクセス権の付与を禁止することができる。
【００５６】
（第３の実施形態）
本実施形態では図１３〜１４を用いて、再生権限をもたない期間の再生操作記録データをスキップして再現する例について説明する。
【００５７】
図１３は本実施形態における再生操作再現不能期間スキップ手段のフローを示す図である。同図におけるステップS1301で、図１４で後述する再生操作記録データ検索DBに格納されている再生操作記録データの検索条件として「アクセス権変更操作」が指定される。
【００５８】
続くステップS1302の再生操作記録データ検索DB検索処理によって検索条件に適合する再生操作記録データが検索され、続くステップS1303で動画終了位置まで到達しているかどうか判定される。その結果、動画終了位置まで到達していると判定された場合、ステップS1305に進む。続くステップS1304で検索された動画位置がアクセス可能かどうか判定され、アクセス不可能な場合にはステップS1302に戻って処理を繰り返す。
【００５９】
ステップS1304でアクセス可能と判定された場合、ステップS1305でカレントの動画位置を上記で検索された位置に変更して処理を終了する。以上の処理によってアクセス不可能な再生期間をスキップすることが可能である。
【００６０】
図１４は本実施形態における再生操作記録データ検索DBの一例を示す図である。再生操作記録データ検索DBは、再生操作記録データを特定する為のID情報と、操作時刻、操作者、操作対象ファイル、操作対象動画位置、操作種別から構成される。例えば、ID=231の再生操作記録データは004/06/23 09:32:21に日本太郎により"party.mpg"のシーン75に対して行われた操作が自動記録されたものであることを示し、ID=364の再生操作記録データは004/07/02 12:11:12に日本花子により"lunch.mpg"のシーン21に対して行われた検索位置付与操作が手動記録されたものであることを示している。また、ID=128及びID=255は日本太郎によってアクセス権が変更されたことを示している。
【００６１】
このように、本実施例で示した本発明により、下記の効果が実現できる。
【００６２】
・再生禁止期間の動画データをスキップして後続する再生操作を再現することで、無効映像が再生され続けることを回避できる。
【００６３】
（第４の実施形態）
本実施形態では図１５〜１７を用いて、流通済みの再生操作記録データのアクセス権を無効化し、再生操作再現を禁止する例について説明する。
【００６４】
図１５は本実施形態においてリモートビューワでビューワ側ストレージ中の再生操作記録データを再現する時の概念図である。１５１はストレージ１５２に格納されている元動画データの映像を表したものである。また、映像１５１は領域A、B、Cを持ち、領域CがTV１５３の画面上に表示され、再生操作再現されていることを表している。ここで、TV１５３によりビューワ側ストレージ１５４に格納されている再生操作記録データの再現が行われた場合、再生操作記録データで指示された元動画データに対する操作が行われた結果の映像がTV１５３で再生される。ここで、元データ及び再生操作記録データそれぞれにはアクセス可能なユーザと操作内容が記述されたアクセス権データが保持されている。また、再生操作記録データに記載されたアクセス権が有効かどうかを管理する為の、図１９で後述する再生操作記録データアクセス権有効性判定データが保持されている。
【００６５】
図１６は本実施形態における機能構成図である。リモートビューワの操作手段１６７により指定された動画データ１６１は、動画再生手段１６３により再生されリモートビューワの表示手段１６６により表示される。また、操作手段１６７により行われた再生操作は動画再生手段１６３により解釈されて対応する操作を行った結果が再生され、同時に再生操作記録手段１６４により操作と対応する動画位置等の情報が再生操作記録データ１６２に記録される。
【００６６】
一方、操作手段１６７により指定された再生操作記録データ１６２は、再生操作再現手段１６５により解釈されて、動画再生手段１６３により再生されリモートビューワの表示手段１６６により表示される。なお、動画再生手段１６３はアクセス権判定手段１６８により再生が許可されていると判定された時だけ再生を行う為、動画再生が直接指示された場合も、再生操作記録データによる再生操作再現が指示された場合も、アクセス権が許可されない限り再生は行われない。また、アクセス権判定手段１６８は再生操作記録データアクセス権有効性判定データを参照して、対象となる再生操作記録データアクセス権が有効かどうか判定する。
【００６７】
図１７は本実施形態における再生操作記録データアクセス権有効性判定手段を追加したアクセス権判定手段のフローを示す図である。同図におけるステップS1701で再生操作記録データアクセス権が設定されていると判定された場合、ステップS1703の再生操作記録データアクセス権有効性判定処理によって対象となっている再生操作記録データアクセス権が有効かどうか判定する。その結果、ステップS1704で有効と判定された場合には再生操作記録データアクセス権を判定結果として処理を終了する。一方、ステップS1701で未設定であると判定された場合、あるいはステップS1704で再生操作記録データアクセス権が無効と判定された場合、ステップS1702の動画データアクセス権取得処理によって動画データそのもののアクセス権が取得され判定結果として処理を終了する。
【００６８】
図１８は本実施形態における再生操作記録データアクセス権無効化操作の画面例を示した図である。該再生操作記録データアクセス権無効化操作画面は再生操作記録データアクセス権変更操作リスト183で構成され、設定内容の確定ボタン181と取り消しボタン182を持つ。同図は、該再生操作記録データアクセス権変更操作リスト183から、ファイル"party.mpg"のシーン501のアクセス権変更操作が無効化184された様子が示されている。なお、該画面表示時のカレントアクセス権変更操作は同図に示すように、他と区別できる形態で表示されているものとする。
【００６９】
図１９は再生操作記録データアクセス権有効性判定データの一例を示す図である。同図は有効な再生操作記録データを特定するidが格納されている様子が示されている。
【００７０】
このように、本実施例で示した本発明により、下記の効果が実現できる。
【００７１】
・再生操作記録データのアクセス権が有効かどうか判定することで、再生操作記録データが流通した後でも再生操作の再現を禁止することができる。
【００７２】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。具体的には、本発明で述べた各実現手段は操作者が操作を行う表示装置側に適用されても良いし、動画データ及び再生操作記録データが格納されるストレージ＆カメラ側に適用されても良いし、両者に適用されても良い。
【００７３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることはいうまでもない。
【００７４】
この場合、記憶媒体から読出されたプログラムコード自体が前述した実施形態の機能を実現することになり、そのプログラムコードを記憶した記憶媒体は本発明を構成することになる。
【００７５】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることはいうまでもない。更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることはいうまでもない。本発明を上記記憶媒体に適用する場合、その記憶媒体には、先に説明した図に示すフローチャートに対応するプログラムコードが格納されることになる。
【図面の簡単な説明】
【００７７】
【図１】本発明に係る情報処理装置のハードウェア構成を示すブロック図。
【図２】本実施形態においてリモートビューワでストレージ中のアクセス権が設定された映像を再生操作する時の概念図。
【図３】本実施形態においてリモートビューワでストレージ中の再生操作記録データを再現する時の概念図。
【図４】本実施形態における機能構成図。
【図５】本実施形態における動画再生手段のフローを示す図。
【図６】本実施形態におけるアクセス権判定手段のフローを示す図。
【図７】本実施形態における再生操作再現手段のフローを示す図。
【図８】本実施形態における再生操作記録データの定義と例を示した図。
【図９】本実施形態における再生操作再現動画制御決定ルールを示した図。
【図１０】本実施形態における再生操作再現中の画面例を示した図。
【図１１】本実施形態における再生操作記録データアクセス権変更操作の画面例を示した図。
【図１２】本実施形態における再生操作記録データアクセス権変更手段のフローを示す図。
【図１３】本実施形態における再生操作再現不能期間スキップ手段のフローを示す図。
【図１４】本実施形態における再生操作記録データ検索ＤＢの一例を示す図。
【図１５】本実施形態においてリモートビューワでビューワ側ストレージ中の再生操作記録データを再現する時の概念図。
【図１６】本実施形態における有効再生操作記録データアクセス権管理データを追加した機能構成図。
【図１７】本実施形態における再生操作記録データアクセス権有効性判定手段を追加したアクセス権判定手段のフローを示す図。
【図１８】本実施形態における再生操作記録データアクセス権無効化操作の画面例を示した図。
【図１９】再生操作記録データアクセス権有効性判定データの一例を示す図。
【符号の説明】
【００７８】
1  入力部
2  CPU
3  出力部
4  プログラムメモリ
5  データメモリ
21  映像
22  ストレージ
23  TV
31  映像
32  ストレージ
33  TV
41  動画データ
42  再生操作記録データ
43  動画再生手段
44  再生操作記録手段
45  再生操作再現手段
46  表示手段
47  操作手段
48  アクセス権判定手段
【図１】
2007060122.tif 000003
【図２】
2007060122.tif 000004
【図３】
2007060122.tif 000005
【図４】
2007060122.tif 000006
【図５】
2007060122.tif 000007
【図６】
2007060122.tif 000008
【図７】
2007060122.tif 000009
【図８】
2007060122.tif 000010
【図９】
2007060122.tif 000011
【図１０】
2007060122.tif 000012
【図１１】
2007060122.tif 000013
【図１２】
2007060122.tif 000014
【図１３】
2007060122.tif 000015
【図１４】
2007060122.tif 000016
【図１５】
2007060122.tif 000017
【図１６】
2007060122.tif 000018
【図１７】
2007060122.tif 000019
【図１８】
2007060122.tif 000020
【図１９】
2007060122.tif 000021